(57)【要約】  車輌シートは、背もたれと、シートクッションと、背もたれをシートクッションに蝶着し、シートクッションに対する背もたれの回転運動を提供する一対のリクライニング装置とを備える。各リクライニング装置は、所定の移動距離間にリクライニング装置をロック解除位置に保持し、前畳み位置からメモリ位置への背もたれの戻り運動を可能にするメモリプレートを有する。メモリ位置は、背もたれのリクライニング位置の範囲内に収まる。
2008543387.tif 000002
【特許請求の範囲】
【請求項１】
選択された背もたれ位置と前畳み位置との範囲内でシートクッションに対する背もたれの回転運動を提供するリクライニング装置であって、
ガイドプレートと、
前記ガイドプレートに回転可能に取り付けられる歯付きプレートであって、前記ガイドプレートと前記歯付きプレートの一方は前記背もたれに装着され、前記ガイドプレートと前記歯付きプレートの他方は前記シートクッションに装着され、前記歯状ディスクは一連の内部歯を含む縁部と段状カム面を有する、前記歯付きプレートと、
前記歯付きプレートと前記ガイドプレート間に装着される複数の爪であって、それぞれの前記爪は歯状面とピップを有し、前記歯状面が前記歯付きプレートの前記一連の歯と係合し前記ガイドプレートに対して前記歯付きプレートを固定するロック位置と前記歯状面が前記ガイドプレートの歯と間隔を置いて配置され前記ガイドプレートに対して前記歯付きプレートが移動可能とするロック解除位置との間で前記爪が移動可能であり、前記ピップが前記ロック解除位置にある前記複数の爪を保持する前記段状カム面の一部と係合し前記背もたれが前畳み位置に移動可能とする、前記複数の爪と、
前記ガイドプレートから延在している複数のガイドであって、前記爪を収容し、前記爪を前記ロック位置およびロック解除位置間を誘導する前記複数のガイドと、
前記ガイドプレートと前記歯付きプレート間に回転可能に装着されるカムであって、前記カムは前記爪との選択的係合のために複数のローブによって画定されるカム面を有し、前記カムの回転および逆回転の際に、前記係合位置と開放位置の間で選択的に前記爪を移動させるカムと、
前記複数の爪を前記ロック位置に継続的にバイアスをかけるバネと、
前記歯付きプレートに回転可能に装着されるメモリディスクであって、前記歯付きプレートとのロストモーション接続によって、前記メモリディスクが、所定量の回転中に前記ロック解除位置にある前記爪を保持する前記内側カム面に延びる前記歯付きプレートに対して所定量回転して、前記背もたれを前記選択された背もたれ位置の範囲内でメモリ位置に戻すことを可能とする、メモリディスクと、
前記メモリディスクと前記歯付きプレート間を延在し、前記段状カム面に一直線に並ぶように前記メモリディスクを付勢するバネと、
を備えるリクライニング装置。
【請求項２】
前記メモリディスクは、前記ピップのうち少なくとも１つと係合し、前記背もたれの戻り運動中に前記歯付きプレートに対して前記メモリディスクを前記所定量回転させる戻り止めを備える請求項１に記載のリクライニング装置。
【請求項３】
前記メモリディスクは、周方向に延在している第２の外側カム面と第２の内側カム面を有し、前記第２の外側カム面は、爪のロックおよびロック解除運動中にメモリディスクがピップに干渉しないように放射方向に間隔を置いて配置され、前記第２の内側カム面は、ピップが前記歯付きプレートの前記内側カム面と係合し、前記背もたれの前畳み中に前記爪の前記ロック運動を防止するように放射方向に間隔を置いて配置される、請求項１に記載のリクライニング装置。
【請求項４】
前記メモリディスクは、前記ピップのうち少なくとも１つと係合し、前記歯付きプレートに対して前記メモリディスクを前記所定量回転させる戻り止めを有する請求項３に記載のリクライニング装置。
【請求項５】
前記戻り止めは、前記第２の外側カム面と第２の内側カム面の間に配置される請求項４に記載のリクライニング装置。
【請求項６】
前記段状カム面は、前記第２の外側カム面および第２の内側カム面に対応する第１の外側カム面および第１の内側カム面を有する請求項５に記載のリクライニング装置。
【請求項７】
前記メモリディスクが、周方向に間隔を置いて配置された円弧状の複数の開口部によって分離される内側リングおよび外側リングを有し、前記開口部が前記第２の外側カム面および第２の内側カム面を画定する請求項６に記載のリクライニング装置。
【請求項８】
前記メモリディスクは、内側リングと外側リングが異なる面上に延在するように浮き出し加工される請求項７に記載のリクライニング装置。
【請求項９】
前記内側リングは、円弧状スロットを有し、前記歯付きプレートは、前記メモリプレートを前記所定量回転させることのできるタブを有する請求項８に記載のリクライニング装置。
【請求項１０】
前記リクライニング装置は前記カムに係合するブッシングをさらに備え、前記カムと前記ブッシングがロストモーション接続し、前記ブッシングが前記カムに駆動係合する前に、限定された相対的回転を可能にする請求項１に記載のリクライニング装置。
【請求項１１】
前記ガイドプレートと前記歯付きプレートのうち少なくとも一方が１つの受け部を有し、前記ガイドプレートと歯付きプレートのうち他方が２つの受け部を有し、前記受け部が前記ガイドプレートと前記歯付きプレート間の回転移動を約１８０度に限定するように配置される請求項１に記載のリクライニング装置。
【請求項１２】
前記リクライニング装置は前記車輌シートの両側に装着され、前記一対のリクライニング装置間を延在し、前記一対のリクライニング装置の動作を一体とするロッドを有する請求項１から１１に記載の一対のリクライニング装置を組み込む車輌シート。
【発明の詳細な説明】
【技術分野】
【０００１】
本発明は、シートクッションに対する背もたれの調節のために車輌シートで使用されるリクライニングアセンブリに関する。特に、本発明は、メモリ機能と上記リクライニングアセンブリを組み込むシートを有するディスクリクライニング装置に関する。
【背景技術】
【０００２】
自動車は、車輌に座った乗員を支持するための車輌シートアセンブリを含む。シートアセンブリは略水平のシートクッションと、リクライニングアセンブリによってシートクッションに回動自在に接続される背もたれとを備え、複数のリクライニング位置間でシートクッションに対して背もたれを調節することができる。さらに、リクライニングアセンブリは通常、背もたれをシートクッションに対して水平に折り畳むことができる。
【０００３】
ディスクリクライニング装置は、車輌シート技術において十分既知で、背もたれをシートクッションに回動自在に接続するために通常使用される。ディスクリクライニング装置は通常、シートクッションに固着される固定円柱状内ディスクと、背もたれに固着され、内ディスクに回転可能に連結される固定円柱状外ディスクとを含む。ディスクリクライニング装置はさらに、シートクッションに対する背もたれの角度位置を維持するためのロック機構を含む。ロック機構は通常、外ディスク状の歯の環状縁とそれぞれが複数の歯を有する複数の爪とを備える。爪はロック位置とロック解除位置との間で放射方向に摺動または回動して移動可能である。ロック位置にある爪では、爪上の歯が外ディスク上の歯の縁と噛み合い、シートクッションに対する背もたれの角度位置を固定する。爪がロック位置からロック解除位置に移動するとき、爪上の歯は外ディスク上の歯の縁ともはや噛み合わず、外ディスク、シートクッションに対する背もたれの調節を可能にする。
【０００４】
乗員が後部シートに移動できるように着座位置から前倒し位置へ移動可能な背もたれ付き車輌シートを備えることが望ましい場合が多い。よって、背もたれは、所定の運動範囲を有していなければならない。従来技術のリクライニング装置では、背もたれとシートクッションリクライニング装置に装着するブラケットが、シートクッションに対する背もたれの運動を制限する止め具を有するように構成されている。これらの追加構成要素はリクライニング装置のコストアップを招き、現在の自動車供給業界では極めて望ましくない。もしくは、運動範囲を確定するためにタブが内ディスクおよび外ディスクに形成される。
【０００５】
さらに、従来のリクライニング装置は、シートを作動するのに単独の解除レバーですむように通常は一緒にまとめられている。乗員が背もたれ位置の相対角度またはその他の所望の動作を調節するためにレバーを操作すると、シートの両側のリクライニング装置も同時に始動される。従来技術のシートは製造時にも問題が生じる。内側のリクライニング装置が外側のリクライニング装置と完璧に並び、平行に延びていない場合、リクライニング装置はリクライニング装置と接合される、あるいは一緒に構成されるロッド上に適切に装着されない。不適切な装着のせいで、リクライニング装置が曲がって、シートを操作するのに余計な努力を要する。不完全な整列は、通常許容可能な構造誤差の範囲内で一般的である。
【０００６】
さらに、従来技術の特定のリクライニング装置はメモリ機能を有する。リクライニング装置は、背もたれが簡易乗車位置へと前側に移動させられた後、所定位置に戻ることができる。リクライニングアセンブリにメモリ機能を組み込むことが望ましい。
【発明の開示】
【発明が解決しようとする課題】
【０００７】
従来技術の欠点は、着座位置のリクライニング範囲内でシートクッションに対して背もたれを調節し、背もたれを前側に折り畳まれた、すなわち簡易乗車位置に移動させることのできるリクライニングアセンブリを提供することによって克服することができる。リクライニング装置は、簡易乗車位置から所定のメモリ位置に戻すように背もたれのメモリを提供する内部手段を備える。メモリ位置は、背もたれ位置のリクライニング範囲内にある。
【課題を解決するための手段】
【０００８】
好適な実施形態では、車輌シートは、背もたれ、シートクッション、および背もたれをシートクッションに蝶着し、シートクッションに対する背もたれの回転運動を提供する一対のリクライニング装置を備える。各リクライニング装置は、シートクッションに装着されるように構成されたガイドプレートと、ガイドプレートに回転可能に取り付けられる歯付きプレートとを有する。歯状ディスクは、一連の内部歯を含む縁部を有する。複数の爪は、歯付きプレートとガイドプレート間に装着される。各爪は歯状面を有し、歯状面が一連の歯と係合してガイドプレートに対して歯付きプレートを固定するロック位置と、歯状面がガイドプレートの歯から間隔を置いて配置されガイドプレートに対して歯付きプレートを移動させるロック解除位置との間を移動可能である。複数のガイドはガイドプレートから延在し、ロック位置およびロック解除位置間に爪を誘導する。カムはガイドプレートと歯付きプレート間に回転可能に装着される。カムは爪との選択的係合のために複数のローブ(lobes)によって画定されるカム面を有し、ロック位置およびロック解除位置間で爪を移動させる。バネはカムに継続的にバイアスをかけ、爪をロック位置に付勢する。所定の移動量の間、メモリプレートは爪を開放させておく。
【０００９】
本発明の以下およびその他の態様は、以下の例示の実施形態の説明と添付の図面からより明らかとなるが、それらは単に本発明の原理を例として示しただけである。
【発明を実施するための最良の形態】
【００１０】
図面を参照すると、図１は、自動車で使用されるシートアセンブリ１０を開示している。シートアセンブリ１０は、略水平のシートクッション１１と背もたれ１２とを含む。シートクッション１１と背もたれ１２はそれぞれ通常、当業者にとって従来既知であるように、トリムカバーによって包まれた成形発泡パッドを支持するための剛体枠構造を備える。シートアセンブリ１０は、Ｄ〜Ｂに示されるように、１つが所定のメモリ位置Ｄである複数のリクライニング位置間における背もたれ１２の回転運動のためにシートクッション１１と背もたれ１２を動作可能に相互接続するリクライニングアセンブリ１３も備える。好ましくは、位置Ｄのメモリ位置は、垂直方向に対して後方に傾斜している。さらに、リクライニングアセンブリ１３は、図１のＣ〜Ａに示されるように、背もたれ１２を前畳み位置に回転させることもできる。好ましくは、背もたれ１２は前畳み位置の方に偏っている。
【００１１】
図２を参照すると、本発明のリクライニングアセンブリ１３が概略的に示されている。リクライニングアセンブリ１３は、中空ロッド１７によって連結される、あるいは一緒にまとめられる一対のディスクリクライニング装置１５を備える。内側および外側ディスクリクライニング装置１５は対称的に対向しており、金型費など最終的なコストを最低限に抑える。
【００１２】
図３を参照すると、ディスクリクライニング装置１５が詳細に示されている。ディスクリクライニング装置１５は通常、ガイドプレート１４、歯付きプレート１６、保持リング１８、一対の歯状摺動爪２０、カム２２、一対のバネ２４、ブッシング７６、メモリプレート１００、およびメモリ戻りバネ１０２を備える。ガイドプレート１４と歯付きプレート１６は、当該技術において十分既知な形で保持リング１８によって一緒に保持される。
【００１３】
図４を参照すると、ガイドプレート１４は、内周スロットまたはトラック２８を画定する外側縁部２６で略カップ状となる。止め具を示す受け部３０がトラック２８に配置される。ガイドプレート１４の底面には、第１のガイド面３２および第２のガイド面３４を画定する一連の島が間隔を置いて配置される。第１および第２のガイド面３２、３４は摺動爪２０と協働して、放射方向への移動を制限する。第１のガイド面３２は第２のガイド面３４よりも長く、「ハンマーヘッド」の摺動爪２０を収容するようにガイドプレート１４を構成する。
【００１４】
一対の正反対に対向するスタッブ３６は、摺動爪２０の移動方向に垂直に配置される。スタッブ３６は、カム２２に付勢力を提供するようにバネ２４を収容する。
【００１５】
プレート１４の中央孔は、一対の正反対に対向するタブ３８を有する。タブ３８はブッシング７６と係合し、ロッド１７にロストモーション接続(lost motion connection)を提供し、以下詳細に説明するように、ガイドプレート１４に対するロッド１７の回転を制限する。
【００１６】
図５を参照すると、歯付きプレート１６が概略的に示されている。歯付きプレート１６は、縁部４０と中央孔４２とを有する略カップ状である。縁部４０の内表面には、間隔を置いて一連の歯４４が配置されている。縁部４０の外表面は一対の正反対に対向する受け部４６を有する。歯付きプレート１６は、正反対に対向するタブ４３を有する中央の隆起した浮出しを備える。
【００１７】
歯付きプレート１６の内面は、歯付きプレート１６を中心に周方向に延びる段状カム面４５によって画定される凹部で窪んでいる。摺動爪２０のピップ１０４は、カム面４５に沿って移動する。カム面の内側部４５ａは、シートクッション１１に対する背もたれ１２の「簡易乗車」運動を確定するように配置される。外側部４５ｂは、リクライニングアセンブリ１０がシートクッション１１に対して背もたれ１２をロックする運動の範囲を確定する。内側部４５ａは、背もたれ１２が自由に前方に回転することができる運動範囲を確定する。この運動範囲では、摺動爪２０が歯４４でロックされることが防止される。
【００１８】
縁部４０はガイドプレート１４のトラック２８に適合し、歯付きプレート１６がガイドプレート１４に対して回転できるようなサイズにされる。歯付きプレート１６がいずれかの方向に回転すると、受け部４６はガイドプレート１４上の受け部３０と係合することによって、移動を止め、移動を約１８０度に制限する。
【００１９】
図６を参照すると、摺動爪２０は「ハンマーヘッド」で、円弧状の外周４８は摺動爪本体５３よりも広い。外周４８は、歯付きプレート１６上の歯４４と相補的な一連の歯５０を有する。摺動体は、第１のガイド面３２と摺動して係合する第１の摺動面５２と、第２のガイド面３４と摺動して係合する第２のガイド面５４とを有する。摺動面５２、５４は爪本体５３の対向側にあり、互いに略平行に延在する。摺動面５２は摺動面５４より長い。摺動爪２０の内周縁は、凹部６２、６４を間に置く、ローブまたはロック面５６、５８および解除フック６０によって画定されるカム従動面を有する。
【００２０】
「ハンマーヘッド」の摺動爪２０は、摺動爪２０と歯４４との接触面の周長が爪本体５３の幅を広げずに増大されるために好ましい。各摺動爪２０は好ましくは 円弧状で半貫通しており、爪本体５３上に形成されるピップ１０４を有する（図３を参照）。半貫通したピップ１０４は、歯状面５０から放射方向に間隔を置いて配置される。
【００２１】
カム２２は、凹部を間に置くローブまたはロック面６６、６８によって画定されるカム面を有する。カム面が摺動爪２０のカム従動面と相補的であることによって、カム２２は最初に摺動爪２０と歯付きプレート１６を固定的に係合させるように（ロック位置）摺動爪を外方に付勢する。カム２２が回転すると、摺動爪２０は、ロック面６８が解除フック６０と係合して、放射方向に内方に移動し（ロック解除位置）歯４４から外れるように摺動爪２０を付勢するまで、放射方向内向きに移動することができる。
【００２２】
ロック面６８とロック面５８との係合は、爪を歯４４と係合保持する係止力の大部分を提供する。ロック面６６とロック面５６との係合は、摺動爪２０を一直線上に保持する傾斜防止力を提供し、摺動爪２０はロック位置とロック解除位置の間を移動する。
【００２３】
カム２２は、バネ２４と係合してカム２２にロック位置の方向にバイアスをかけるように配置された、一対の正反対に対向するバネタブ７０も備える。
【００２４】
カム２２は、一連の周方向に間隔を置いて配置されたタブ７４を有する中央孔７２を備える。
【００２５】
ブッシング７６は、中央孔７２にスナップ嵌合される。ブッシング７６は外方に撓む外周面を有する、すなわち、外表面の直径は内表面と外表面よりも中間部で大きい。外周面は、一連の周方向に間隔を置いて配置されたリッジまたはスプライン７８を有する。各スプライン７８の周幅は、カム２２上のタブ７４間の間隔の周幅よりも小さい。この間隔によって、ブッシング７６とカム２２間のロストモーション接続が提供される。各スプライン７８は外表面にテーパ状フック８０を有し、各凹部がテーパ状フック８２を有する。この構造によって、ブッシング７６をカム２２にスナップ嵌合させることができる。
【００２６】
ブッシング７６は、滑り嵌めでロッド１７を補完するように構成される中央孔８４を有する。好ましくは、ブッシング７６はＮＹＬＯＮ（商標）などの有機樹脂材料で押出成形される。ブッシング７６がカム２２に対して移動することによって、ブッシング７６はより大きな自由度でロッド１７を収容し、内側リクライニング装置１５と外側リクライニング装置１５間の方位の差を補償することができる。
【００２７】
図８を参照すると、メモリディスク１００は、複数の周方向に間隔を置いて配置される少なくとも２つの円弧状の切欠きまたは開口部１０６によって分離される内側リング１０７と外側リング１０９とを有する。開口部１０６の数は、爪２０の数に対応する。各開口部１０６は、周方向に延在した第２の外側カム面１１０と第２の内側カム面１１２によって画定される段状カム面１０８を有する。第２の外側カム面１１０と第２の内側カム面１１２は、戻り止め１１４によってそれぞれ分断されている、第２の外側カム面１１０は、歯４４に対する爪のロックおよびロック解除運動中にメモリディスク１００が爪２０のピップ１０４に干渉しないように、放射方向に間隔を置いて配置される。第２の内側カム面１１２は、歯４４に対する爪のロックおよびロック解除運動中および前倒しおよび戻り運動中、爪２０のピップ１０４が第２の内側カム面１１２または内側カム面４５のいずれかに係合するように、カム面４５よりわずかに大きくなるよう放射方向に間隔を置いて配置される。
【００２８】
内側リングまたはハブ１０７は、リング１０７がリング１０９と異なる面上にあるように、リング１０９に対して浮き出し加工(emboss)される。リング１０７は、２つの正反対に対向する切欠き１１３を含む中央孔１１を有する。内側リング１０７は少なくとも１つのタング１１５を有する。
【００２９】
メモリディスク１００と歯付きプレート１６は、メモリディスク１００が歯状ディスク１６とロストモーション接続し、所定の移動量α分、歯付きプレート１６に対して回転することができるように構成される。メモリディスク１００には切欠き１１３が設けられ、歯付きプレート１６には正反対に対向するタブ４３が設けられる。切欠き１１３の周長が、メモリプレート１００が歯付きプレート１６に対して移動する円弧または角距離α（すなわち、ロストモーション）を決定する。好ましくは、円弧距離は約４〜１６度で、６〜１０度が最も好ましい。他のロストモーション配置が当該技術において十分既知で、メモリディスク１００と歯付きプレート１６間の所定の移動を提供するように利用することができる。
【００３０】
スプリング１０２はメモリディスク１００上のバネタング１１５と歯付きプレート１６間を延在し、基準位置へと戻り方向にメモリディスク１００にバイアスをかける。そこで、戻り止め１１４の放射方向の縁部は、内側カム面４５の縁部４５ｃと一列に並ぶ。戻り方向とは、背もたれ１２と歯付きプレート１６とが簡易乗車位置から後方に戻っていく際に、歯付きプレート１６が回転する方向である。
【００３１】
図９〜１３を参照すると、リクライニング装置１３は図９に示されるように動作位置にある。メモリディスク１００は歯付きプレート１６とともに移動するので、背もたれ１２が略垂直位置とリクライニング位置間を移動することができる。メモリディスク１００は爪２０の通常の動作を邪魔しない。ピップ１０４はメモリディスク１００と接触していない。
【００３２】
図１０では、背もたれ１２は簡易乗車位置の方向に回転している。爪２０はロック解除位置に退避しているので、歯付きプレート１６とメモリディスク１００は回転できる。メモリディスク１００の戻り止め１１４は、ピップ１０４の比較的上を移動する。
【００３３】
図１１を参照すると、始動ハンドル（図示せず）の解放後、カム２２が回転して、爪２０をロック位置に向かって移動するように付勢する。ピップ１０４は内側カム面１１２および４５ｂと係合し、歯付きプレート１６との係合から爪２０を保持する、すなわち、爪２０がロック位置に移動するのを防止する。背もたれ１２は後方に回転することができる。背もたれ１２が回転するにつれ、歯付きプレート１６が回転する。メモリプレート１００は、戻り止め１１４がピップ１０４と係合するまで歯付きプレートとともに回転する。ピップ１０４は、メモリプレート１００が切欠き１１３のタブ４３に容認される円弧距離α分だけ歯付きプレート１６に対して回転し、円弧距離α分内側カム面１１２および４５ｂを有効に延在させるように、メモリプレート１００が回転するのを防止する。さらに、歯付きプレート１６の回転で、爪２０は放射方向の内側に向けて付勢され、その後、メモリプレート１００は歯付きプレート１６とともに移動し、戻り止め１１４はピップ１０４に沿って移動する。
【００３４】
図１２を参照すると、メモリディスク１００は切欠き１１３の円弧距離とピップ１０４の円弧距離を移動しており、その後、ピップ１０４から離れて、爪を歯付きプレートと再係合させてロック位置に至らせる。切欠き１１３の円弧距離αは、背もたれが所定のメモリ位置に垂直に上方を移動する所定距離に相当する。
【００３５】
図１３を参照すると、いったん戻り止め１１４がピップ１０４の上を移動すると、爪はロック位置まで外方に移動し、歯付きプレート１６が回転するのを防止する。その後、バネ１０２は、メモリディスク１００が歯付きプレート１６に対して基準位置まで戻るように付勢する。
【００３６】
本発明は例示するように説明したが、使用されている用語は実際には限定ではなく説明のための言葉であると理解されたい。上記の教示に鑑み、本発明の多数の修正および変形が可能である。したがって、添付の請求項の範囲内で、本発明は具体的に説明された以外に実行可能であるであると理解されるべきである。
【図面の簡単な説明】
【００３７】
【図１】好適な実施形態による車輌シートの側立面図である。
【図２】図１の車輌シートのリクライニングアセンブリの斜視図である。
【図３】図１のリクライニング装置の分解斜視図である。
【図４】図３のリクライニング装置のガイドプレートの斜視図である。
【図５】図３のリクライニング装置の歯付きプレートの斜視図である。
【図６】図３のリクライニング装置のカムと摺動爪の配列の部分斜視図である。
【図７】図３のリクライニング装置のブッシングの斜視図である。
【図８】図３のリクライニング装置のメモリディスクの斜視図である。
【図９】ロック位置の内側リクライニング装置の側立面図である。
【図１０】背もたれが簡易乗車位置にある内側リクライニング装置の側立面図である。
【図１１】背もたれが動作位置に戻る内側リクライニング装置の側立面図である。
【図１２】背もたれがメモリ位置にある内側リクライニング装置の側立面図である。
【図１３】メモリディスクが基準位置に戻る内側リクライニング装置の側立面図である。
【図１】
2008543387.tif 000003
【図２】
2008543387.tif 000004
【図３】
2008543387.tif 000005
【図４】
2008543387.tif 000006
【図５】
2008543387.tif 000007
【図６】
2008543387.tif 000008
【図７】
2008543387.tif 000009
【図８】
2008543387.tif 000010
【図９】
2008543387.tif 000011
【図１０】
2008543387.tif 000012
【図１１】
2008543387.tif 000013
【図１２】
2008543387.tif 000014
【図１３】
2008543387.tif 000015
【国際調査報告】
2008543387.tif 000016
2008543387.tif 000017